(57)【要約】【課題】  磁気ヘッド組立体を正確に位置決めして保持でき、また磁気ヘッド組立体の取り付けおよび取り外しが簡単である固定用治具を提供する。また、測定用ディスクの面からの磁気ヘッド組立体のスライダの浮上距離を高精度に測定することが可能な浮上距離測定方法を提供する。【解決手段】  設置平面２ａを有する台座２と、設置平面２ａから突出して支持板２１を位置決めする位置決め部３と、支持板２１を設置平面２ａに固定する押圧部材６を有している。位置決め部３は、支持板２１が設置平面２ａに設置されたときに、支持穴２６内に入り込んで、設置平面２ａに沿う互いに直交する２つの方向で、支持穴２６の内側から支持板２１を位置決めするものであり、押圧部材６は、ばね１３の力で設置平面２ａに付勢されており、位置決め部３で位置決めされた支持板２１が押圧部材６によって設置平面２ａに押圧される。【選択図】  図１
2007087497.tif 000002
【特許請求の範囲】
【請求項１】
記録素子と再生素子の少なくとも一方を備えたスライダと、基部に円形の支持穴が形成され先部に前記スライダが取り付けられる少なくとも一部が弾性変形可能な支持板とを有する磁気ヘッド組立体が固定される固定用冶具において、
設置平面を有する台座と、前記設置平面から突出して前記支持板を位置決めする位置決め部と、前記支持板を前記設置平面に固定する押圧部材とを有し、
前記位置決め部は、前記支持板が設置平面に設置されたときに、前記支持穴内に入り込んで、設置平面に沿う互いに直交する２つの方向で、前記支持穴の内側から前記支持板を位置決めするものであり、
前記押圧部材は、付勢部材の力で前記設置平面に付勢されており、前記位置決め部で位置決めされた支持板が前記押圧部材によって設置平面に押圧されることを特徴とする固定用冶具。
【請求項２】
前記位置決め部は、少なくとも互いに直交する方向での外周面が、同じ曲率中心を有する円筒面である請求項１記載の固定用冶具。
【請求項３】
前記位置決め部は、円柱状であり、前記押圧部材と一体の案内部が、前記位置決め部の中心に挿通され、設置平面から離れた位置に設けられた前記付勢部材により、案内部が付勢されている請求項１または２記載の固定用冶具。
【請求項４】
前記押圧部材は端部に傾斜面を有し、この傾斜面によって支持穴の周縁部が押圧される請求項１ないし３のいずれかに記載の固定用冶具。
【請求項５】
前記台座には、前記位置決め部を中心とする支持板の回転方向への動きを規制する回転位置決め部が設けられている請求項１ないし４のいずれかに記載の固定用冶具。
【請求項６】
前記回転位置決め部は、前記支持板に形成された貫通部と、設置平面から突出して前記貫通部に嵌合する突起とで構成されている請求項５記載の固定用冶具。
【請求項７】
請求項１ないし６に記載の固定用冶具を使用し、ヘッド組立体を、前記スライダの記録媒体との対向面が、設置平面と逆を向くようにして前記台座に位置決めして固定し、測定用ディスクを前記スライダに対向させて回転させ、前記ディスク表面からのスライダの浮上量を測定することを特徴とする磁気ヘッド組立体の浮上量測定方法。
【発明の詳細な説明】
【技術分野】
【０００１】
本発明は、スライダが支持板の先部に取り付けられた磁気ヘッド組立体を位置決めして固定できる固定用冶具、および前記固定用冶具を使用して、測定用ディスクの表面からのスライダの浮上量を測定する浮上量測定方法に関する。
【背景技術】
【０００２】
以下に示す特許文献１には、スライダが搭載された磁気ヘッド組立体の浮上量を測定するための磁気ヘッドテスターが開示されている。
【０００３】
図１０は前記特許文献１に示す開示されている磁気ヘッド組立体の位置決め部を示す平面図である。
【０００４】
図１０に示す磁気ヘッドテスター５００では、ホルダー５０１の上に、スライダ５０２が搭載された磁気ヘッド組立体５０３が設置される。ホルダー５０１の表面には、互いに直交する内側面５０４ａおよび５０４ｂを有する固定部材５０４が設けられている。また、ホルダー５０１の表面には一対の位置決めピン５０６ａ，５０６ｂが突出している。前記磁気ヘッド組立体５０３は、基部に矩形部材５０５を有し、矩形部材５０５は、互いに直交する外側面５０５ａおよび５０５ｂを有している。また矩形部材５０５には、穴５０５ｃ，５０５ｄが開口している。
【０００５】
磁気ヘッド組立体５０３をホルダー５０１の表面に設置し、位置決めピン５０６ａ，５０６ｂを、矩形部材５０５の穴５０５ｃ，５０５ｄに挿通させた状態で、固定部材５０４を内側面５０４ａおよび５０４ｂに対して４５度の方向（図１０に示す矢印方向）へ移動させ、前記内側面５０４ａ、５０４ｂを矩形部材５０５の外側面５０５ａ、５０５ｂに当接させて、前記矩形部材５０５のＸ−Ｙ方向への位置決めを行う。
【０００６】
磁気ヘッドテスター５００は、ホルダー５０１に磁気ヘッド組立体５０３を位置決めして設置した状態で、スライダに測定ディスクを対向させ、測定ディスクの表面からのスライダの浮上量を測定するというものである。
【特許文献１】特開平２−２９２７１０号公報
【発明の開示】
【発明が解決しようとする課題】
【０００７】
図１０に示す従来の磁気ヘッドテスター５００に設けられたホルダー５０１は、矩形部材５０５の穴５０５ｃ，５０５ｄを一対の位置決めピン５０６ａ，５０６ｂに挿通させた後に、固定部材５０４を４５度の方向へ斜めに移動させて、磁気ヘッド組立体を位置決めするものであるため、磁気ヘッド組立体５０３の位置決め作業が煩雑である。また、矩形部材５０５の面をホルダー５０１に押圧する構造ではないため、スライダを三次元方向へ高精度に位置決めすることができない。
【０００８】
この磁気ヘッドテスター５００では、矩形部材５０５の外側面５０５ａ，５０５ｂが押され、穴５０５ｃ，５０５ｄが位置決めピン５０６ａ，５０６ｂに押し付けられることで、磁気ヘッド組立体５０３が位置決めされる。この場合に、磁気ヘッド組立体５０３のＸ−Ｙ方向での位置決め基準が、矩形部材の外側面５０５ａ，５０５ｂとなるが、実際に磁気ヘッド組立体５０３がハードディスク装置に組みつけられるときの位置決め基準は、前記外側面５０５ａ，５０５ｂに設定されないため、磁気ヘッドテスター５００を用いた浮上姿勢の測定では、測定用ディスクとスライダとの対向位置（ディスク内周での対向位置やディスク外周での対向位置）が、実際のハードディスク装置と相違するおそれがある。
【０００９】
本発明は、前記従来の課題を解決するものであり、前記磁気ヘッド組立体を正確に位置決めして保持でき、また磁気ヘッド組立体の取り付けおよび取り外しが簡単である固定用冶具を提供することを目的としている。
【００１０】
また、測定用ディスクの面からの磁気ヘッド組立体のスライダの浮上距離を高精度に測定することが可能な浮上距離測定方法を提供することを目的とする。
【課題を解決するための手段】
【００１１】
本発明は、記録素子と再生素子の少なくとも一方を備えたスライダと、基部に円形の支持穴が形成され先部に前記スライダが取り付けられる少なくとも一部が弾性変形可能な支持板とを有する磁気ヘッド組立体が固定される固定用冶具において、
設置平面を有する台座と、前記設置平面から突出して前記支持板を位置決めする位置決め部と、前記支持板を前記設置平面に固定する押圧部材とを有し、
前記位置決め部は、前記支持板が設置平面に設置されたときに、前記支持穴内に入り込んで、設置平面に沿う互いに直交する２つの方向で、前記支持穴の内側から前記支持板を位置決めするものであり、
前記押圧部材は、付勢部材の力で前記設置平面に付勢されており、前記位置決め部で位置決めされた支持板が前記押圧部材によって設置平面に押圧されることを特徴とするものである。
【００１２】
本発明の固定用冶具では、磁気ヘッド組立体は支持板の支持穴を基準として台座の前記設置平面に位置決めされる。磁気ヘッド組立体がハードディスク装置などに実装される際は、前記支持穴が取り付け基準となるため、固定冶具への位置決め基準とハードディスク装置などでの位置決め基準を同じ部分にでき、磁気ヘッド組立体を固定用冶具に位置決め固定した状態で、実際のハードディスク装置と同じ条件により各種測定を行うことが可能である。
【００１３】
また、磁気ヘッド組立体は、支持板の支持穴が位置決め部で内側から直交する２方向へ位置決めされ、さらに押圧部材で、支持穴の周縁部が設置平面に押圧されて位置決めされる構造であるため、磁気ヘッド組立体が支持穴を基準として位置決めされるのみならず、支持板に対して大きな変形力が作用しないため、磁気ヘッド組立体が設置平面に位置決めされたときに、設置平面とスライダとの相対位置を高精度に決めることができる。
【００１４】
また、押圧部材を設置平面から離れる方向へ移動させて引っ張り力が生じた状態で、支持板の支持穴に位置決め部を入り込ませて挿通させ、その後に押圧部材の引っ張り力を解除することで、磁気ヘッド組立体を台座の前記設置平面に簡単に且つ高精度に取り付けることができる。また押圧部材を設置平面から離れる方向へ移動させるだけで、磁気ヘッド組立体を台座の前記設置平面から簡単に取り外すこともできる。
【００１５】
また、本発明は、前記位置決め部は、少なくとも互いに直交する方向での外周面が、同じ曲率中心を有する円筒面であることが好ましい。
【００１６】
円筒面はその半径を高精度に決めることができるため、位置決め部の外周面と磁気ヘッド組立体の支持穴の内径寸法との差を微小にでき、磁気ヘッド組立体を台座に高精度に位置決めすることが可能となる。
【００１７】
好ましくは、前記位置決め部は、円柱状であり、前記押圧部材と一体の案内部が、前記位置決め部の中心に挿通され、設置平面から離れた位置に設けられた前記付勢部材により、案内部が付勢されているものである。
【００１８】
押圧部材と一体に案内部が、円柱形状の位置決め部の軸中心上で摺動できるようにすると、押圧部材の両端部によって、支持板を均等な力で設置平面に押圧することができ、支持板に余分な曲げ変形力を与えるのを防止できる。
【００１９】
なお、以下の実施の形態では、位置決め部が円柱状であるが、この位置決め部は、Ｘ方向の両端とＹ方向の両端に、共通の曲率中心の円柱面を持つ平面形状が十字型のものであってもよい。
【００２０】
また、本発明は、前記押圧部材は端部に傾斜面を有し、この傾斜面によって支持穴の周縁部が押圧されるものであってもよい。
【００２１】
傾斜面で支持穴の周縁部を押圧すると、この押圧力によって支持穴に対してセンタリング力を作用させることができ、磁気ヘッド組立体を高精度に位置決めして固定できるようになる。なお、本発明では、押圧部材の両端部の押圧面が設置平面と平行であり、この押圧面と設置平面との間で支持板が挟持されて固定されるものであってもよい。
【００２２】
さらに、本発明は、前記台座には、前記位置決め部を中心とする支持板の回転方向への動きを規制する回転位置決め部が設けられているものが好ましい。
【００２３】
例えば、前記回転位置決め部は、前記支持板に形成された貫通部と、設置平面から突出して前記貫通部に嵌合する突起とで構成されているものとすることができる。
【００２４】
本発明の磁気ヘッド組立体の浮上量測定方法は、前記いずれかに記載の固定用冶具を使用し、ヘッド組立体を、前記スライダの記録媒体との対向面が、設置平面と逆を向くようにして前記台座に位置決めして固定し、測定用ディスクを前記スライダに対向させて回転させ、前記ディスク表面からのスライダの浮上量を測定することを特徴とするものである。
【００２５】
本発明の固定用冶具は、前述のように磁気ヘッド組立体を高精度に位置決めして固定することができるため、この固定用冶具で磁気ヘッド組立体を支持したときに、スライダと測定用ディスクとの対向位置を実際のハードディスク装置と同様の条件に設定でき、ディスク表面からのスライダの浮上量の測定を高精度に測定することが可能になる。
【発明の効果】
【００２６】
本発明の固定用冶具は、磁気ヘッド組立体の取付け基準である支持穴を高精度に位置決めして固定することができる。また弾性変形可能な支持板に不要な弾性変形力を与えることがなく、よって台座の設置平面とスライダとの相対位置を高精度に決めることができる。
【００２７】
また本発明の浮上量測定装置は、磁気ヘッド組立体を固定用冶具に高精度に位置決めした状態で、スライダを測定用ディスクに対向させることができるため、精度の良い測定が可能である。
【発明を実施するための最良の形態】
【００２８】
図１は本発明の磁気ヘッド組立体の浮上量を測定する際に使用される固定用治具の第１実施形態を上方側から示す斜視図、図２は図１に示す固定用治具に係止される磁気ヘッド組立体を上方側から示す平面図、図３は図１に示す固定用治具に図２に示す磁気ヘッド組立体が固定された状態を示す平面図、図４は図３のＩＶ−ＩＶ線で切断した切断断面図であり、使用時に用いられるガラスディスクおよびガラスディスクが固定されて回転駆動するスピンドルをも、前記ＩＶ−ＩＶ線の延長線上で切断して示した図である。
【００２９】
図１に示す固定用治具１は、スライダ（スライダ）が搭載された磁気ヘッド組立体を固定し、スライダがガラスディスクに対向する状態となるように設置した後、このガラスディスクを回転させることによって、前記スライダを前記ガラスディスクから浮上させて浮上量を測定する際に使用されるものであり、この磁気ヘッド組立体が固定される固定用治具である。
【００３０】
図１に示すように、磁気ヘッド組立体が固定される固定用治具１は、設置平面２ａが平坦面として形成された台座２を有して形成されている。図１に示すように、前記設置平面２ａには、互いに直交する２つの方向（図示Ｘ１−Ｘ２方向およびＹ１−Ｙ２方向、すなわちＸＹ方向）に位置決めされた状態で突出形成された位置決め部３が形成されている。
【００３１】
図３に示すように、前記位置決め部３は、少なくとも互いに直交する方向であるＸ１−Ｘ２方向とＹ１−Ｙ２方向での外周面が、同じ曲率中心Ｏを有する円筒面であるように形成されており、図１および図３に示す実施形態では、前記位置決め部３の外周縁３ａの平面形状が、ほぼ円形に形成された円柱状で構成されている。
そして、この位置決め部３の中心には穴部３ｂが形成されている。
【００３２】
図１に示すように、前記位置決め部３の中央部で前後方向（図示Ｙ１−Ｙ２方向）に延びる押圧部材６が形成されている。図１に示す実施形態では、前記押圧部材６の平面形状は前後方向に延びる長方形で形成されている。
【００３３】
図４に示すように、前記位置決め部３は、前記台座２に形成された穴部２ｂ内に挿入された状態で固定されている。図４のうち、前記位置決め部３の周辺を拡大して図示したものが図５である。また、前記位置決め部３のうち、前記設置平面２ａから突出した部分と前記押圧部材６の周辺を示した斜視図が図６である。
【００３４】
図５に示すように、前記位置決め部３の上面３ｃが、前記設置平面２ａから上方（図示Ｚ２方向）に突出するように形成されている。前記位置決め部３には、中央部で前後方向（図示Ｙ１−Ｙ２方向）に延びる溝部３ｄが形成されている。図５および図６に示すように、前記溝部３ｄ内に前記押圧部材６が嵌合する状態となるように設けられている。
【００３５】
図５および図６に示すように、前記位置決め部３の中心に形成された前記穴部３ｂには、前記押圧部材６と一体に形成された案内部４０が挿通されている。そして、図５に示すように、前記案内部４０の下方には、前記案内部４０の側方に広がる庇部４１が形成されている。
【００３６】
前記穴部２ｂ内には、前記庇部４１と前記位置決め部３の下面３ｅとの間に、前記案内部４０の外側を周回するように形成された付勢部材であるばね１３が形成されている。前記ばね１３は、前記庇部４１の上面４１ａと、前記位置決め部３の下面３ｅに接しており、前記案内部４０が前記設置平面２ａ側（図示Ｚ１方向側）に付勢されている。ここで、前記したように、前記案内部４０は前記押圧部材６と一体的に形成されているため、前記押圧部材６も前記設置平面２ａ側に付勢されている。なお、前記付勢部材としてばね１３の他に、ゴムなどの他の公知の材料を使用することもできる。
【００３７】
前記位置決め部３および前記押圧部材６では、前記案内部４の下方に形成された前記庇部４１を上方（図示Ｚ２方向）へ押し込むと、前記案内部４０が前記穴部３ｂ内を摺動し、前記押圧部材６が図示上方へ移動して押し上げられる。このとき、前記押圧部材６には、前記ばね１３の弾性力によって前記設置平面２ａに向かう引っ張り力が生じる。
【００３８】
一方、前記庇部４１の前記押し込みを解除すると、前記ばね１３の弾性力に基づく前記引張り力によって、前記押圧部材６が下方（図示Ｚ１方向）に戻る。
【００３９】
図１、図３および図４に示すように、前記台座２の前方領域には、前記設置平面２ａから段差部７を介して前記設置平面２ａよりも下方（図示Ｚ１方向）に形成された段差面８が形成されている。図１に示す実施形態では、前記設置平面２ａと前記段差面８とが、高さ方向（図示Ｚ１−Ｚ２方向）に平行面となるような位置関係で形成されている。
【００４０】
図１、図３および図４に示す実施形態では、前記段差面８には、前記位置決め部３を中心とする前記磁気ヘッド組立体２０の回転方向（図３に示す矢印Ａ方向）への動きを規制する回転位置決め部９が形成されている。図１および図５に示す実施形態では、前記回転位置決め部９は上方（図示Ｚ２方向）に向かって延びる１本の円柱形状の突起で形成されている。図５に示すように、前記回転位置決め部９の上面９ａは、前記設置平面２ａよりも上方に形成されている。
【００４１】
図５に示すように、前記押圧部材６の前後方向（図示Ｙ１−Ｙ２方向）の端部には、内側に向かうに従って前記設置平面２ａ方向（下方、すなわち図示Ｚ１方向）に傾斜する傾斜面６ｅが形成されている。
【００４２】
図１に示すように、前記固定用治具１には、前記設置平面２ａに、取付穴１４、１５、１６が形成されている。これらの取付穴１４、１５、１６は、前記固定用治具１に後記する磁気ヘッド組立体２０を固定した後、図示しない浮上量測定装置に取り付けて使用する際の取付用の穴として機能するものである。
【００４３】
図２は、前記固定用治具１に固定される磁気ヘッド組立体２０を上方側（図１に示すＺ２方向側）から示す平面図である。図２に示すように、前記磁気ヘッド組立体２０は、支持板２１と、前記支持板２１の先部に搭載されるスライダ２２とを有して構成されている。前記支持板２１は、マウント部となる基部２３と、弾性変形可能な弾性部２４とを有している。前記弾性部２４の先部２５には、前記スライダ２２が取り付けられている。前記支持板２１は、例えば金属材料で形成されている。なお、図２に示す実施形態では、前記弾性部２４が弾性変形可能に形成されており、前記支持板２１の一部が弾性変形可能な構造とされているが、前記支持板２１の全体が弾性変形可能として構成されていても良い。
【００４４】
前記基部２３には、平面形状が円形で構成された支持穴２６が開口しており、前記基部２３は、この支持穴２６を支持基準として、例えば図示しないハードディスク装置内の走査アクチュエータ機構に取り付けられる。
【００４５】
前記弾性部２４には、貫通部２７が形成されている。前記貫通部２７は、ハードディスク内に取り付ける際の位置合わせを確実に行なうための機能を有しており、図２に示す実施形態では、前記貫通部２７の平面形状は長円形状として形成されている。
【００４６】
また図２に示す実施形態では、前記基部２３や前記弾性部２４にも複数の穴４２が形成されている。前記支持板２１には、前記スライダ２２に備えられた磁気ヘッド（図示せず）に電力を供給し、あるいは磁気ヘッドからの電力を取り出すための導体が形成されているが、図４では構造を解かりやすくするために図示を省略している。
【００４７】
なお、前記スライダ２２に備えられた磁気ヘッドとしては、記録素子と再生素子の少なくとも一方が備えられているものとして構成できる。
【００４８】
図３および図４は、前記固定用治具１に前記磁気ヘッド組立体２０を固定した状態を示している。
【００４９】
図３および図４に示すように、前記磁気ヘッド組立体２０は前記固定用治具１の前記設置平面２ａに固定されている。
【００５０】
図３および図４に示すように、前記磁気ヘッド組立体２０が前記設置平面２ａに固定された状態では、前記固定用治具１の前記位置決め部３が、前記磁気ヘッド組立体２０に形成された前記支持穴２６内に入り込んで挿通している。
【００５１】
このとき、前記したように、前記位置決め部３は、前記設置平面２ａに沿う互いに直交する２つの方向であるＸＹ方向で位置決めされているため、前記支持板２１の前記支持穴２６が前記位置決め部３に入り込んだ状態では、前記支持板２１も、ＸＹ方向で位置決めされている。
【００５２】
このように、前記位置決め部３が前記支持板２１の前記指示穴２６に入り込んだ状態で、前記押圧部材６が前記設置平面２ａ側に付勢されている。したがって、前記位置決め部３によって位置決めされた前記支持板２１が、前記押圧部材６と前記設置平面２ａとの間に挟まれた状態で、前記押圧部材６によって、前記設置平面２ａに押圧されている。このようにして、前記支持板２１が前記設置平面２ａに固定されているのである。
【００５３】
図３および図４に示すように、前記固定用治具１の前記設置平面２ａに前記磁気ヘッド組立体２０が固定された状態で、前記磁気ヘッド組立体２０に形成されている前記貫通部２７内に、前記固定用治具１の前記段差面８に形成された前記回転位置決め部９が挿入されている。図３および図４に示す実施形態では、前記貫通部２７の幅寸法Ｗ１は、前記回転位置決め部９の直径Ｄ１とほぼ同じに形成されている。
【００５４】
前記固定用治具１の前記台座２に前記磁気ヘッド組立体２０が係止された状態では、図４に示すように、磁気ヘッド組立体２０の前記基部２３の下面が、前記設置平面２ａに接触している。
【００５５】
一方、図４に示すように、前記設置平面２ａに前記磁気ヘッド組立体２０が固定された状態では、前記磁気ヘッド組立体２０の前記弾性部２４が前記段差面８に対して間隔を空けて位置するように形成されている。したがって、前記磁気ヘッド組立体２０が前記設置平面２ａに固定されたときに、前記弾性部２４が自由状態とされ、効果的に前記弾性部２４の弾性力を発揮することができるようになっている。また、前記弾性部２４は弾性を発揮するため、上下方向（図示Ｚ１−Ｚ２方向）への移動が可能とされている。また図４に示すように、前記磁気ヘッド組立体２０が前記設置平面２ａに係止されたときに、前記先部２５は前記固定用治具１の前方側（図示Ｙ１方向側）に位置するように構成されている。したがって前記先部２５に搭載された前記スライダ２２も固定用治具１の前方側に位置するように構成されている。そのため、前記弾性部２４の上下方向への移動にしたがって、前記スライダ２２も上下方向に移動可能とされているため、後記するガラスディスク３０の表面３２から離れる方向へ移動（浮上）することが可能とされている。
【００５６】
前記固定用治具１は、前記したように磁気ヘッド組立体２０が前記設置平面２ａに固定された状態で、図示しない浮上量測定装置に固定される。そして図４に示すように、前記磁気ヘッド組立体２０に搭載された前記スライダ２２が、ガラスディスク３０と対向する位置に設置される。
【００５７】
前記ガラスディスク３０は、例えば記録ディスクと同様の形状および大きさで形成されており、その平面形状は、中央部に平面形状が円形の孔３１が形成されたドーナツ形状に形成されている。前記ガラスディスク３０の前記孔３１内にはスピンドル３３が挿通され、前記スピンドル３３が中心線Ｏ−Ｏ線を回転中心として、図示矢印に示すように所定方向に回転駆動することにより、前記ガラスディスク３０も回転する。
【００５８】
図４に示す状態で、前記ガラスディスク３０が回転すると、前記ガラスディスク３０の回転によって生じた空気流によって、前記スライダ２２の前記ガラスディスク３０との対向面に正圧が発生し、前記磁気ヘッド組立体２０が前記ガラスディスク３０の前記表面３２に対して離れる方向へ移動（浮上）する。
【００５９】
前記固定用治具１の前記設置平面２ａに前記磁気ヘッド組立体２０を固定するための操作方法を図５を用いて説明する。
【００６０】
前記案内部４０に形成された前記庇部４１を、上方（図示Ｚ２方向）へ押し込む。すると、前記案内部４０と一体に形成された前記押圧部材６も上方（図示Ｚ２方向）へ向かって移動する。このとき、前記押圧部材６の下面と前記設置平面２ａとの間隔Ｗ２が生じる。この間隔Ｗ２内に、前記磁気ヘッド組立体２０に形成された前記支持板２１を挿入し、前記支持穴２６を前記位置決め部３に嵌合させる。このように、前記押圧部材６が上方へ移動することによって前記間隔Ｗ２が生じ、前記位置決め部３が前記支持板２１の前記支持穴２６に入り込み易くすることができる。
【００６１】
そして、前記磁気ヘッド組立体２０の前記支持穴２６に前記位置決め部３が入り込んだ状態で、前記庇部４１の押し込みを解除すると、前記ばね１３の弾性力によって、前記案内部４０が下方（図示Ｚ１方向）へ移動し、図５に示す一点鎖線から実線の位置へ戻る。このとき、前記押圧部材６は前記ばね１３の弾性力によって、前記設置平面２ａに付勢されているため、前記支持板２１が前記押圧部材６によって前記設置平面２ａに押圧されるため、前記磁気ヘッド組立体が前記設置平面２ａに固定することができる。
【００６２】
前記固定用治具１では、前記押圧部材６の端部に傾斜面６ｅが形成されているが、図５に示すように、前記支持板２１が前記設置平面２ａに固定された状態では、前記傾斜面６ｅに前記支持穴２６の内側が当接し、前記支持板２１の周縁部が、前記傾斜面６ｅによって押圧されている。
【００６３】
図１ないし図５に示す固定用冶具１では、磁気ヘッド組立体２０は支持板２１の支持穴２６を基準として台座２の前記設置平面２ａに位置決めされる。磁気ヘッド組立体２０がハードディスク装置などに実装される際は、前記支持穴２６が取り付け基準となるため、固定用冶具１への位置決め基準とハードディスク装置などでの位置決め基準を同じ部分にでき、磁気ヘッド組立体２０を固定用冶具１に位置決め固定した状態で、実際のハードディスク装置と同じ条件により各種測定を行うことが可能である。
【００６４】
また、磁気ヘッド組立体２０は、支持板２１の支持穴２６が位置決め部３で内側から直交する２方向（ＸＹ方向）へ位置決めされ、さらに押圧部材６で、支持穴２６の周縁部が設置平面２ａに押圧されて位置決めされる構造であるため、磁気ヘッド組立体２０が支持穴２６を基準として位置決めされるのみならず、支持板２１に対して大きな変形力が作用しないため、磁気ヘッド組立体２０が設置平面２ａに位置決めされたときに、設置平面２ａとスライダ２２との相対位置を高精度に決めることができる。
【００６５】
また、押圧部材６を設置平面２ａから離れる方向へ移動させて前記引っ張り力が生じた状態で、支持板２１の支持穴２６に位置決め部３を入り込ませて挿通させ、その後に押圧部材６に生じている引っ張り力を解除することで、磁気ヘッド組立体を台座２の前記設置平面２ａに簡単に且つ高精度に取り付けることができる。また押圧部材６を設置平面２ａから離れる方向へ移動させるだけで、磁気ヘッド組立体２０を台座２の前記設置平面２ａから簡単に取り外すこともできる。
【００６６】
また、前記位置決め部３は、少なくとも互いに直交する方向であるＸ１−Ｘ２方向とＹ１−Ｙ２方向での外周面が、同じ曲率中心Ｏを有する円筒面であるように形成されており、図１および図３に示す実施形態では、前記位置決め部３の外周縁３ａの平面形状が、ほぼ円形に形成された円柱状で構成されている。
【００６７】
円筒面はその半径を高精度に決めることができるため、位置決め部３の外周面と磁気ヘッド組立体２０の支持穴２６の内径寸法との差を微小にでき、磁気ヘッド組立体２０を台座２の前記設置平面２ａに高精度に位置決めすることが可能となる。
【００６８】
また、図１ないし図５に示す実施形態では、前記位置決め部３は、円柱状であり、前記押圧部材６と一体の案内部４０が、前記位置決め部３の中心に挿通され、設置平面２ａから離れた位置に設けられた前記ばね１３により、案内部４０が付勢されているものである。
【００６９】
このように押圧部材６と一体に案内部４０が、円柱形状の位置決め部３の軸中心上で摺動できるようにすると、押圧部材６の両端部によって、支持板２１を均等な力で設置平面２ａに押圧することができ、支持板２１に余分な曲げ変形力を与えるのを防止できる。
【００７０】
また、前記固定用治具１では、前記押圧部材６は端部に傾斜面６ｅを有していることから、図５に示すように、前記傾斜面６ｅによって支持穴２６の周縁部が押圧される。
【００７１】
このように、前記傾斜面６ｅで前記支持穴２６の周縁部を押圧すると、この押圧力によって支持穴２６に対してセンタリング力を作用させることができ、磁気ヘッド組立体２０を高精度に位置決めして固定できるようになる。
【００７２】
さらに、前記固定用治具１では、前記台座２の前方に形成された前記段差面８に、前記位置決め部３を中心とする支持板２１の回転方向（図３に示す矢印Ａ方向）への動きを規制する回転位置決め部９が設けられている。
【００７３】
前記位置決め部３と前記支持穴２６との挿通のみによって、前記磁気ヘッド組立体２０を前記台座２の前記設置平面２ａに固定するのみでは、図３の矢印Ａで示すように、前記磁気ヘッド組立体２０が、前記位置決め部３を回転中心として、図示矢印Ａ方向へ回転移動してしまうため、回転方向（図示矢印Ａ方向）への位置決めを正確に行うことができない。これを解決するために、前記固定用治具１では、前記段差面８に回転位置決め部９を設け、これによって前記回転方向に対する正確な位置決めを行なっているのである。
【００７４】
図３に示す実施形態では、前記回転位置決め部９の前記直径Ｄ１は、前記磁気ヘッド組立体２０の前記貫通部２７の前記幅寸法Ｗ１とがほぼ同じ寸法で形成されている。したがって、前記回転位置決め部９を前記貫通部２７に嵌合することで、前記磁気ヘッド組立体２０の前記回転方向への位置決めを確実に行なうことが可能となる。このとき、前記したように、前記回転位置決め部９の上面９ａは、前記設置平面２ａよりも上方（図示Ｚ２方向側）に形成されているため、前記回転位置決め部９が前記貫通部２７から外れてしまって、前記磁気ヘッド組立体２０の前記回転方向の位置ずれが発生してしまうことを防止することができる。
【００７５】
このようにして容易に且つ精度良く、位置決めを行なった前記磁気ヘッド組立体２０を、前記押圧部材６の付勢力によって前記台座２の前記設置平面２ａへ押圧することで、前記支持板２１を位置決めした状態で、前記設置平面２ａに確実に固定することが可能となる。
【００７６】
このように、前記固定用治具１は、磁気ヘッド組立体２０を高精度に位置決めして固定することができるため、この固定用冶具１で磁気ヘッド組立体２０を支持したときに、スライダ２２と測定用のガラスディスク３０との対向位置を、実際のハードディスク装置と同様の条件に設定でき、ガラスディスク３０の表面３２からのスライダ２２の浮上量の測定を高精度に測定することが可能になる。
【００７７】
なお、本発明では図７に示すように、押圧部材６の両端部の押圧面６ａが前記設置平面２ａと平行であり、この押圧面６ａと前記設置平面２ａとの間で支持板２１が挟持されて固定されるものであっても良い。
【００７８】
また、図１ないし図６に示した実施形態では、位置決め部３が円柱状であるが、この位置決め部３を、図８に示すように、Ｘ１−Ｘ２方向の両端と、Ｙ１−Ｙ２方向の両端に、共通の曲率中心Ｏを有する円柱面１０３ａを持つ平面形状が十字型の位置決め部１０３ものであってもよい。このように構成しても、円柱面１０３ａはその半径を高精度に決めることができるため、位置決め部１０３の円柱面１０３ａと磁気ヘッド組立体２０の支持穴２６の内径寸法との差を微小にでき、磁気ヘッド組立体２０を台座２の前記設置平面２ａに高精度に位置決めすることが可能となる。
【００７９】
なお、前記固定用治具１では、前記回転位置決め部９が１本の円柱形状の突起として構成され、この回転位置決め部９が前記磁気ヘッド組立体２０に形成された前記貫通部２７に嵌合されて、前記磁気ヘッド組立体２０の回転位置決めを行なっているが、本発明はこれに限定されるものではなく、例えば図９に示すように、前記固定用治具１の前記段差面８に、２本の円柱形状の回転位置決め部１０９と１１０とが、幅方向に間隔を空けて対向する位置関係で配置されており、前記磁気ヘッド組立体２０の前記支持板２１の側縁２１ａ、２１ｂが前記回転位置決め部２０９、２１０に当接した状態で、２本の前記回転位置決め部２０９と２１０との間に挟まれるようにして、回転方向（図示矢印Ａ方向）位置の規制を行なうものとして構成しても良い。このようにしても、前記磁気ヘッド組立体２０
の回転方向の位置決めを確実に行なうことが可能となる。また、前記回転位置決め部２０９、２１０のうち一方のみが形成され、前記支持板２１の前記側縁２１ａ、２１ｂの一方が、前記回転位置決め部２０９、２１０によって位置規制されていても良い。ただし、２本の前記回転位置決め部２０９、２１０の間に前記支持板２１が挟まれるように構成したほうが、位置決め精度が向上するため好ましい。
【００８０】
なお、前記固定用治具１では、前記支持穴２６が前記位置決め部３に入り込む構造を例として説明したが、前記支持穴２６以外の穴が、前記位置決め部３と嵌合するものとして構成しても良い。この場合、図２に示す磁気ヘッド組立体２０に形成された前記穴４２が、前記位置決め部３に入り込む構成としても良く、あるいは図４に示されていない穴を形成して、この穴が前記位置決め部３に入り込むように構成しても良い。
【図面の簡単な説明】
【００８１】
【図１】本発明の磁気ヘッド組立体の固定用治具の第１実施形態を上方側から示す斜視図、
【図２】図１に示す固定用治具に固定される磁気ヘッド組立体を上側から示す平面図、
【図３】図１に示す固定用治具に図２示す磁気ヘッド組立体が係止された状態を上方側から示す平面図、
【図４】図３に示す磁気ヘッド組立体と固定用治具をＩＶ−ＩＶ線で切断した断面図であり、使用時に係止されるガラスディスクおよびガラスディスクが固定されて回転駆動するスピンドルを、前記ＩＶ−ＩＶ線の延長線上で切断して示した図、
【図５】図４に示す位置決め部および押圧部の部分拡大断面図、
【図６】図１に示す位置決め部３および押圧部材の部分拡大斜視図、
【図７】図５に示す位置決め部の他の形態を示す部分拡大断面図、
【図８】位置決め部の他の形態を示す平面図、
【図９】回転位置決め部の他の形態を示す平面図、
【図１０】従来の磁気ヘッドテスターを示す平面図、
【符号の説明】
【００８２】
１  固定用治具
２  台座
２ａ  設置平面
３  位置決め部
６  押圧部材
６ｅ  傾斜面
９  回転位置決め部
２０  磁気ヘッド組立体
２１  支持板
２２  スライダ
２６  支持穴
２７  貫通部
３０  ガラスディスク
【図１】
2007087497.tif 000003
【図２】
2007087497.tif 000004
【図３】
2007087497.tif 000005
【図４】
2007087497.tif 000006
【図５】
2007087497.tif 000007
【図６】
2007087497.tif 000008
【図７】
2007087497.tif 000009
【図８】
2007087497.tif 000010
【図９】
2007087497.tif 000011
【図１０】
2007087497.tif 000012
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
記録素子と再生素子の少なくとも一方を備えたスライダと、基部に円形の支持穴が形成され先部に前記スライダが取り付けられる少なくとも一部が弾性変形可能な支持板とを有する磁気ヘッド組立体が固定される固定用治具において、
設置平面を有する台座と、前記設置平面から突出して前記支持板を位置決めする位置決め部と、前記支持板を前記設置平面に固定する押圧部材とを有し、
前記位置決め部は、前記支持板が設置平面に設置されたときに、前記支持穴内に入り込んで、設置平面に沿う互いに直交する２つの方向で、前記支持穴の内側から前記支持板を位置決めするものであり、
前記押圧部材は、付勢部材の力で前記設置平面に付勢されており、前記位置決め部で位置決めされた支持板が前記押圧部材によって設置平面に押圧されることを特徴とする固定用治具。
【請求項２】
前記位置決め部は、少なくとも互いに直交する方向での外周面が、同じ曲率中心を有する円筒面である請求項１記載の固定用治具。
【請求項３】
前記位置決め部は、円柱状であり、前記押圧部材と一体の案内部が、前記位置決め部の中心に挿通され、設置平面から離れた位置に設けられた前記付勢部材により、案内部が付勢されている請求項１または２記載の固定用治具。
【請求項４】
前記押圧部材は端部に傾斜面を有し、この傾斜面によって支持穴の周縁部が押圧される請求項１ないし３のいずれかに記載の固定用治具。
【請求項５】
前記台座には、前記位置決め部を中心とする支持板の回転方向への動きを規制する回転位置決め部が設けられている請求項１ないし４のいずれかに記載の固定用治具。
【請求項６】
前記回転位置決め部は、前記支持板に形成された貫通部と、設置平面から突出して前記貫通部に嵌合する突起とで構成されている請求項５記載の固定用治具。
【請求項７】
請求項１ないし７に記載の固定用治具を使用し、ヘッド組立体を、前記スライダの記録媒体との対向面が、設置平面と逆を向くようにして前記台座に位置決めして固定し、測定用ディスクを前記スライダに対向させて回転させ、前記ディスク表面からのスライダの浮上量を測定することを特徴とする磁気ヘッド組立体の浮上量測定方法。
【手続補正２】
【補正対象書類名】明細書
【補正対象項目名】全文
【補正方法】変更
【補正の内容】
【発明の詳細な説明】
【技術分野】
【０００１】
本発明は、スライダが支持板の先部に取り付けられた磁気ヘッド組立体を位置決めして固定できる固定用治具、および前記固定用治具を使用して、測定用ディスクの表面からのスライダの浮上量を測定する浮上量測定方法に関する。
【背景技術】
【０００２】
以下に示す特許文献１には、スライダが搭載された磁気ヘッド組立体の浮上量を測定するための磁気ヘッドテスターが開示されている。
【０００３】
図１０は前記特許文献１に示す開示されている磁気ヘッド組立体の位置決め部を示す平面図である。
【０００４】
図１０に示す磁気ヘッドテスター５００では、ホルダー５０１の上に、スライダ５０２が搭載された磁気ヘッド組立体５０３が設置される。ホルダー５０１の表面には、互いに直交する内側面５０４ａおよび５０４ｂを有する固定部材５０４が設けられている。また、ホルダー５０１の表面には一対の位置決めピン５０６ａ，５０６ｂが突出している。前記磁気ヘッド組立体５０３は、基部に矩形部材５０５を有し、矩形部材５０５は、互いに直交する外側面５０５ａおよび５０５ｂを有している。また矩形部材５０５には、穴５０５ｃ，５０５ｄが開口している。
【０００５】
磁気ヘッド組立体５０３をホルダー５０１の表面に設置し、位置決めピン５０６ａ，５０６ｂを、矩形部材５０５の穴５０５ｃ，５０５ｄに挿通させた状態で、固定部材５０４を内側面５０４ａおよび５０４ｂに対して４５度の方向（図１０に示す矢印方向）へ移動させ、前記内側面５０４ａ、５０４ｂを矩形部材５０５の外側面５０５ａ、５０５ｂに当接させて、前記矩形部材５０５のＸ−Ｙ方向への位置決めを行う。
【０００６】
磁気ヘッドテスター５００は、ホルダー５０１に磁気ヘッド組立体５０３を位置決めして設置した状態で、スライダに測定ディスクを対向させ、測定ディスクの表面からのスライダの浮上量を測定するというものである。
【特許文献１】特開平２−２９２７１０号公報
【発明の開示】
【発明が解決しようとする課題】
【０００７】
図１０に示す従来の磁気ヘッドテスター５００に設けられたホルダー５０１は、矩形部材５０５の穴５０５ｃ，５０５ｄを一対の位置決めピン５０６ａ，５０６ｂに挿通させた後に、固定部材５０４を４５度の方向へ斜めに移動させて、磁気ヘッド組立体を位置決めするものであるため、磁気ヘッド組立体５０３の位置決め作業が煩雑である。また、矩形部材５０５の面をホルダー５０１に押圧する構造ではないため、スライダを三次元方向へ高精度に位置決めすることができない。
【０００８】
この磁気ヘッドテスター５００では、矩形部材５０５の外側面５０５ａ，５０５ｂが押され、穴５０５ｃ，５０５ｄが位置決めピン５０６ａ，５０６ｂに押し付けられることで、磁気ヘッド組立体５０３が位置決めされる。この場合に、磁気ヘッド組立体５０３のＸ−Ｙ方向での位置決め基準が、矩形部材の外側面５０５ａ，５０５ｂとなるが、実際に磁気ヘッド組立体５０３がハードディスク装置に組みつけられるときの位置決め基準は、前記外側面５０５ａ，５０５ｂに設定されないため、磁気ヘッドテスター５００を用いた浮上姿勢の測定では、測定用ディスクとスライダとの対向位置（ディスク内周での対向位置やディスク外周での対向位置）が、実際のハードディスク装置と相違するおそれがある。
【０００９】
本発明は、前記従来の課題を解決するものであり、前記磁気ヘッド組立体を正確に位置決めして保持でき、また磁気ヘッド組立体の取り付けおよび取り外しが簡単である固定用治具を提供することを目的としている。
【００１０】
また、測定用ディスクの面からの磁気ヘッド組立体のスライダの浮上距離を高精度に測定することが可能な浮上距離測定方法を提供することを目的とする。
【課題を解決するための手段】
【００１１】
本発明は、記録素子と再生素子の少なくとも一方を備えたスライダと、基部に円形の支持穴が形成され先部に前記スライダが取り付けられる少なくとも一部が弾性変形可能な支持板とを有する磁気ヘッド組立体が固定される固定用治具において、
設置平面を有する台座と、前記設置平面から突出して前記支持板を位置決めする位置決め部と、前記支持板を前記設置平面に固定する押圧部材とを有し、
前記位置決め部は、前記支持板が設置平面に設置されたときに、前記支持穴内に入り込んで、設置平面に沿う互いに直交する２つの方向で、前記支持穴の内側から前記支持板を位置決めするものであり、
前記押圧部材は、付勢部材の力で前記設置平面に付勢されており、前記位置決め部で位置決めされた支持板が前記押圧部材によって設置平面に押圧されることを特徴とするものである。
【００１２】
本発明の固定用治具では、磁気ヘッド組立体は支持板の支持穴を基準として台座の前記設置平面に位置決めされる。磁気ヘッド組立体がハードディスク装置などに実装される際は、前記支持穴が取り付け基準となるため、固定治具への位置決め基準とハードディスク装置などでの位置決め基準を同じ部分にでき、磁気ヘッド組立体を固定用治具に位置決め固定した状態で、実際のハードディスク装置と同じ条件により各種測定を行うことが可能である。
【００１３】
また、磁気ヘッド組立体は、支持板の支持穴が位置決め部で内側から直交する２方向へ位置決めされ、さらに押圧部材で、支持穴の周縁部が設置平面に押圧されて位置決めされる構造であるため、磁気ヘッド組立体が支持穴を基準として位置決めされるのみならず、支持板に対して大きな変形力が作用しないため、磁気ヘッド組立体が設置平面に位置決めされたときに、設置平面とスライダとの相対位置を高精度に決めることができる。
【００１４】
また、押圧部材を設置平面から離れる方向へ移動させて引っ張り力が生じた状態で、支持板の支持穴に位置決め部を入り込ませて挿通させ、その後に押圧部材の引っ張り力を解除することで、磁気ヘッド組立体を台座の前記設置平面に簡単に且つ高精度に取り付けることができる。また押圧部材を設置平面から離れる方向へ移動させるだけで、磁気ヘッド組立体を台座の前記設置平面から簡単に取り外すこともできる。
【００１５】
また、本発明は、前記位置決め部は、少なくとも互いに直交する方向での外周面が、同じ曲率中心を有する円筒面であることが好ましい。
【００１６】
円筒面はその半径を高精度に決めることができるため、位置決め部の外周面と磁気ヘッド組立体の支持穴の内径寸法との差を微小にでき、磁気ヘッド組立体を台座に高精度に位置決めすることが可能となる。
【００１７】
好ましくは、前記位置決め部は、円柱状であり、前記押圧部材と一体の案内部が、前記位置決め部の中心に挿通され、設置平面から離れた位置に設けられた前記付勢部材により、案内部が付勢されているものである。
【００１８】
押圧部材と一体に案内部が、円柱形状の位置決め部の軸中心上で摺動できるようにすると、押圧部材の両端部によって、支持板を均等な力で設置平面に押圧することができ、支持板に余分な曲げ変形力を与えるのを防止できる。
【００１９】
なお、以下の実施の形態では、位置決め部が円柱状であるが、この位置決め部は、Ｘ方向の両端とＹ方向の両端に、共通の曲率中心の円柱面を持つ平面形状が十字型のものであってもよい。
【００２０】
また、本発明は、前記押圧部材は端部に傾斜面を有し、この傾斜面によって支持穴の周縁部が押圧されるものであってもよい。
【００２１】
傾斜面で支持穴の周縁部を押圧すると、この押圧力によって支持穴に対してセンタリング力を作用させることができ、磁気ヘッド組立体を高精度に位置決めして固定できるようになる。なお、本発明では、押圧部材の両端部の押圧面が設置平面と平行であり、この押圧面と設置平面との間で支持板が挟持されて固定されるものであってもよい。
【００２２】
さらに、本発明は、前記台座には、前記位置決め部を中心とする支持板の回転方向への動きを規制する回転位置決め部が設けられているものが好ましい。
【００２３】
例えば、前記回転位置決め部は、前記支持板に形成された貫通部と、設置平面から突出して前記貫通部に嵌合する突起とで構成されているものとすることができる。
【００２４】
本発明の磁気ヘッド組立体の浮上量測定方法は、前記いずれかに記載の固定用治具を使用し、ヘッド組立体を、前記スライダの記録媒体との対向面が、設置平面と逆を向くようにして前記台座に位置決めして固定し、測定用ディスクを前記スライダに対向させて回転させ、前記ディスク表面からのスライダの浮上量を測定することを特徴とするものである。
【００２５】
本発明の固定用治具は、前述のように磁気ヘッド組立体を高精度に位置決めして固定することができるため、この固定用治具で磁気ヘッド組立体を支持したときに、スライダと測定用ディスクとの対向位置を実際のハードディスク装置と同様の条件に設定でき、ディスク表面からのスライダの浮上量の測定を高精度に測定することが可能になる。
【発明の効果】
【００２６】
本発明の固定用治具は、磁気ヘッド組立体の取付け基準である支持穴を高精度に位置決めして固定することができる。また弾性変形可能な支持板に不要な弾性変形力を与えることがなく、よって台座の設置平面とスライダとの相対位置を高精度に決めることができる。
【００２７】
また本発明の浮上量測定装置は、磁気ヘッド組立体を固定用治具に高精度に位置決めした状態で、スライダを測定用ディスクに対向させることができるため、精度の良い測定が可能である。
【発明を実施するための最良の形態】
【００２８】
図１は本発明の磁気ヘッド組立体の浮上量を測定する際に使用される固定用治具の第１実施形態を上方側から示す斜視図、図２は図１に示す固定用治具に係止される磁気ヘッド組立体を上方側から示す平面図、図３は図１に示す固定用治具に図２に示す磁気ヘッド組立体が固定された状態を示す平面図、図４は図３のＩＶ−ＩＶ線で切断した切断断面図であり、使用時に用いられるガラスディスクおよびガラスディスクが固定されて回転駆動するスピンドルをも、前記ＩＶ−ＩＶ線の延長線上で切断して示した図である。
【００２９】
図１に示す固定用治具１は、スライダ（スライダ）が搭載された磁気ヘッド組立体を固定し、スライダがガラスディスクに対向する状態となるように設置した後、このガラスディスクを回転させることによって、前記スライダを前記ガラスディスクから浮上させて浮上量を測定する際に使用されるものであり、この磁気ヘッド組立体が固定される固定用治具である。
【００３０】
図１に示すように、磁気ヘッド組立体が固定される固定用治具１は、設置平面２ａが平坦面として形成された台座２を有して形成されている。図１に示すように、前記設置平面２ａには、互いに直交する２つの方向（図示Ｘ１−Ｘ２方向およびＹ１−Ｙ２方向、すなわちＸＹ方向）に位置決めされた状態で突出形成された位置決め部３が形成されている。
【００３１】
図３に示すように、前記位置決め部３は、少なくとも互いに直交する方向であるＸ１−Ｘ２方向とＹ１−Ｙ２方向での外周面が、同じ曲率中心Ｏを有する円筒面であるように形成されており、図１および図３に示す実施形態では、前記位置決め部３の外周縁３ａの平面形状が、ほぼ円形に形成された円柱状で構成されている。
そして、この位置決め部３の中心には穴部３ｂが形成されている。
【００３２】
図１に示すように、前記位置決め部３の中央部で前後方向（図示Ｙ１−Ｙ２方向）に延びる押圧部材６が形成されている。図１に示す実施形態では、前記押圧部材６の平面形状は前後方向に延びる長方形で形成されている。
【００３３】
図４に示すように、前記位置決め部３は、前記台座２に形成された穴部２ｂ内に挿入された状態で固定されている。図４のうち、前記位置決め部３の周辺を拡大して図示したものが図５である。また、前記位置決め部３のうち、前記設置平面２ａから突出した部分と前記押圧部材６の周辺を示した斜視図が図６である。
【００３４】
図５に示すように、前記位置決め部３の上面３ｃが、前記設置平面２ａから上方（図示Ｚ２方向）に突出するように形成されている。前記位置決め部３には、中央部で前後方向（図示Ｙ１−Ｙ２方向）に延びる溝部３ｄが形成されている。図５および図６に示すように、前記溝部３ｄ内に前記押圧部材６が嵌合する状態となるように設けられている。
【００３５】
図５および図６に示すように、前記位置決め部３の中心に形成された前記穴部３ｂには、前記押圧部材６と一体に形成された案内部４０が挿通されている。そして、図５に示すように、前記案内部４０の下方には、前記案内部４０の側方に広がる庇部４１が形成されている。
【００３６】
前記穴部２ｂ内には、前記庇部４１と前記位置決め部３の下面３ｅとの間に、前記案内部４０の外側を周回するように形成された付勢部材であるばね１３が形成されている。前記ばね１３は、前記庇部４１の上面４１ａと、前記位置決め部３の下面３ｅに接しており、前記案内部４０が前記設置平面２ａ側（図示Ｚ１方向側）に付勢されている。ここで、前記したように、前記案内部４０は前記押圧部材６と一体的に形成されているため、前記押圧部材６も前記設置平面２ａ側に付勢されている。なお、前記付勢部材としてばね１３の他に、ゴムなどの他の公知の材料を使用することもできる。
【００３７】
前記位置決め部３および前記押圧部材６では、前記案内部４の下方に形成された前記庇部４１を上方（図示Ｚ２方向）へ押し込むと、前記案内部４０が前記穴部３ｂ内を摺動し、前記押圧部材６が図示上方へ移動して押し上げられる。このとき、前記押圧部材６には、前記ばね１３の弾性力によって前記設置平面２ａに向かう引っ張り力が生じる。
【００３８】
一方、前記庇部４１の前記押し込みを解除すると、前記ばね１３の弾性力に基づく前記引張り力によって、前記押圧部材６が下方（図示Ｚ１方向）に戻る。
【００３９】
図１、図３および図４に示すように、前記台座２の前方領域には、前記設置平面２ａから段差部７を介して前記設置平面２ａよりも下方（図示Ｚ１方向）に形成された段差面８が形成されている。図１に示す実施形態では、前記設置平面２ａと前記段差面８とが、高さ方向（図示Ｚ１−Ｚ２方向）に平行面となるような位置関係で形成されている。
【００４０】
図１、図３および図４に示す実施形態では、前記段差面８には、前記位置決め部３を中心とする前記磁気ヘッド組立体２０の回転方向（図３に示す矢印Ａ方向）への動きを規制する回転位置決め部９が形成されている。図１および図５に示す実施形態では、前記回転位置決め部９は上方（図示Ｚ２方向）に向かって延びる１本の円柱形状の突起で形成されている。図５に示すように、前記回転位置決め部９の上面９ａは、前記設置平面２ａよりも上方に形成されている。
【００４１】
図５に示すように、前記押圧部材６の前後方向（図示Ｙ１−Ｙ２方向）の端部には、内側に向かうに従って前記設置平面２ａ方向（下方、すなわち図示Ｚ１方向）に傾斜する傾斜面６ｅが形成されている。
【００４２】
図１に示すように、前記固定用治具１には、前記設置平面２ａに、取付穴１４、１５、１６が形成されている。これらの取付穴１４、１５、１６は、前記固定用治具１に後記する磁気ヘッド組立体２０を固定した後、図示しない浮上量測定装置に取り付けて使用する際の取付用の穴として機能するものである。
【００４３】
図２は、前記固定用治具１に固定される磁気ヘッド組立体２０を上方側（図１に示すＺ２方向側）から示す平面図である。図２に示すように、前記磁気ヘッド組立体２０は、支持板２１と、前記支持板２１の先部に搭載されるスライダ２２とを有して構成されている。前記支持板２１は、マウント部となる基部２３と、弾性変形可能な弾性部２４とを有している。前記弾性部２４の先部２５には、前記スライダ２２が取り付けられている。前記支持板２１は、例えば金属材料で形成されている。なお、図２に示す実施形態では、前記弾性部２４が弾性変形可能に形成されており、前記支持板２１の一部が弾性変形可能な構造とされているが、前記支持板２１の全体が弾性変形可能として構成されていても良い。
【００４４】
前記基部２３には、平面形状が円形で構成された支持穴２６が開口しており、前記基部２３は、この支持穴２６を支持基準として、例えば図示しないハードディスク装置内の走査アクチュエータ機構に取り付けられる。
【００４５】
前記弾性部２４には、貫通部２７が形成されている。前記貫通部２７は、ハードディスク内に取り付ける際の位置合わせを確実に行なうための機能を有しており、図２に示す実施形態では、前記貫通部２７の平面形状は長円形状として形成されている。
【００４６】
また図２に示す実施形態では、前記基部２３や前記弾性部２４にも複数の穴４２が形成されている。前記支持板２１には、前記スライダ２２に備えられた磁気ヘッド（図示せず）に電力を供給し、あるいは磁気ヘッドからの電力を取り出すための導体が形成されているが、図４では構造を解かりやすくするために図示を省略している。
【００４７】
なお、前記スライダ２２に備えられた磁気ヘッドとしては、記録素子と再生素子の少なくとも一方が備えられているものとして構成できる。
【００４８】
図３および図４は、前記固定用治具１に前記磁気ヘッド組立体２０を固定した状態を示している。
【００４９】
図３および図４に示すように、前記磁気ヘッド組立体２０は前記固定用治具１の前記設置平面２ａに固定されている。
【００５０】
図３および図４に示すように、前記磁気ヘッド組立体２０が前記設置平面２ａに固定された状態では、前記固定用治具１の前記位置決め部３が、前記磁気ヘッド組立体２０に形成された前記支持穴２６内に入り込んで挿通している。
【００５１】
このとき、前記したように、前記位置決め部３は、前記設置平面２ａに沿う互いに直交する２つの方向であるＸＹ方向で位置決めされているため、前記支持板２１の前記支持穴２６が前記位置決め部３に入り込んだ状態では、前記支持板２１も、ＸＹ方向で位置決めされている。
【００５２】
このように、前記位置決め部３が前記支持板２１の前記指示穴２６に入り込んだ状態で、前記押圧部材６が前記設置平面２ａ側に付勢されている。したがって、前記位置決め部３によって位置決めされた前記支持板２１が、前記押圧部材６と前記設置平面２ａとの間に挟まれた状態で、前記押圧部材６によって、前記設置平面２ａに押圧されている。このようにして、前記支持板２１が前記設置平面２ａに固定されているのである。
【００５３】
図３および図４に示すように、前記固定用治具１の前記設置平面２ａに前記磁気ヘッド組立体２０が固定された状態で、前記磁気ヘッド組立体２０に形成されている前記貫通部２７内に、前記固定用治具１の前記段差面８に形成された前記回転位置決め部９が挿入されている。図３および図４に示す実施形態では、前記貫通部２７の幅寸法Ｗ１は、前記回転位置決め部９の直径Ｄ１とほぼ同じに形成されている。
【００５４】
前記固定用治具１の前記台座２に前記磁気ヘッド組立体２０が係止された状態では、図４に示すように、磁気ヘッド組立体２０の前記基部２３の下面が、前記設置平面２ａに接触している。
【００５５】
一方、図４に示すように、前記設置平面２ａに前記磁気ヘッド組立体２０が固定された状態では、前記磁気ヘッド組立体２０の前記弾性部２４が前記段差面８に対して間隔を空けて位置するように形成されている。したがって、前記磁気ヘッド組立体２０が前記設置平面２ａに固定されたときに、前記弾性部２４が自由状態とされ、効果的に前記弾性部２４の弾性力を発揮することができるようになっている。また、前記弾性部２４は弾性を発揮するため、上下方向（図示Ｚ１−Ｚ２方向）への移動が可能とされている。また図４に示すように、前記磁気ヘッド組立体２０が前記設置平面２ａに係止されたときに、前記先部２５は前記固定用治具１の前方側（図示Ｙ１方向側）に位置するように構成されている。したがって前記先部２５に搭載された前記スライダ２２も固定用治具１の前方側に位置するように構成されている。そのため、前記弾性部２４の上下方向への移動にしたがって、前記スライダ２２も上下方向に移動可能とされているため、後記するガラスディスク３０の表面３２から離れる方向へ移動（浮上）することが可能とされている。
【００５６】
前記固定用治具１は、前記したように磁気ヘッド組立体２０が前記設置平面２ａに固定された状態で、図示しない浮上量測定装置に固定される。そして図４に示すように、前記磁気ヘッド組立体２０に搭載された前記スライダ２２が、ガラスディスク３０と対向する位置に設置される。
【００５７】
前記ガラスディスク３０は、例えば記録ディスクと同様の形状および大きさで形成されており、その平面形状は、中央部に平面形状が円形の孔３１が形成されたドーナツ形状に形成されている。前記ガラスディスク３０の前記孔３１内にはスピンドル３３が挿通され、前記スピンドル３３が中心線Ｏ−Ｏ線を回転中心として、図示矢印に示すように所定方向に回転駆動することにより、前記ガラスディスク３０も回転する。
【００５８】
図４に示す状態で、前記ガラスディスク３０が回転すると、前記ガラスディスク３０の回転によって生じた空気流によって、前記スライダ２２の前記ガラスディスク３０との対向面に正圧が発生し、前記磁気ヘッド組立体２０が前記ガラスディスク３０の前記表面３２に対して離れる方向へ移動（浮上）する。
【００５９】
前記固定用治具１の前記設置平面２ａに前記磁気ヘッド組立体２０を固定するための操作方法を図５を用いて説明する。
【００６０】
前記案内部４０に形成された前記庇部４１を、上方（図示Ｚ２方向）へ押し込む。すると、前記案内部４０と一体に形成された前記押圧部材６も上方（図示Ｚ２方向）へ向かって移動する。このとき、前記押圧部材６の下面と前記設置平面２ａとの間隔Ｗ２が生じる。この間隔Ｗ２内に、前記磁気ヘッド組立体２０に形成された前記支持板２１を挿入し、前記支持穴２６を前記位置決め部３に嵌合させる。このように、前記押圧部材６が上方へ移動することによって前記間隔Ｗ２が生じ、前記位置決め部３が前記支持板２１の前記支持穴２６に入り込み易くすることができる。
【００６１】
そして、前記磁気ヘッド組立体２０の前記支持穴２６に前記位置決め部３が入り込んだ状態で、前記庇部４１の押し込みを解除すると、前記ばね１３の弾性力によって、前記案内部４０が下方（図示Ｚ１方向）へ移動し、図５に示す一点鎖線から実線の位置へ戻る。このとき、前記押圧部材６は前記ばね１３の弾性力によって、前記設置平面２ａに付勢されているため、前記支持板２１が前記押圧部材６によって前記設置平面２ａに押圧されるため、前記磁気ヘッド組立体が前記設置平面２ａに固定することができる。
【００６２】
前記固定用治具１では、前記押圧部材６の端部に傾斜面６ｅが形成されているが、図５に示すように、前記支持板２１が前記設置平面２ａに固定された状態では、前記傾斜面６ｅに前記支持穴２６の内側が当接し、前記支持板２１の周縁部が、前記傾斜面６ｅによって押圧されている。
【００６３】
図１ないし図５に示す固定用治具１では、磁気ヘッド組立体２０は支持板２１の支持穴２６を基準として台座２の前記設置平面２ａに位置決めされる。磁気ヘッド組立体２０がハードディスク装置などに実装される際は、前記支持穴２６が取り付け基準となるため、固定用治具１への位置決め基準とハードディスク装置などでの位置決め基準を同じ部分にでき、磁気ヘッド組立体２０を固定用治具１に位置決め固定した状態で、実際のハードディスク装置と同じ条件により各種測定を行うことが可能である。
【００６４】
また、磁気ヘッド組立体２０は、支持板２１の支持穴２６が位置決め部３で内側から直交する２方向（ＸＹ方向）へ位置決めされ、さらに押圧部材６で、支持穴２６の周縁部が設置平面２ａに押圧されて位置決めされる構造であるため、磁気ヘッド組立体２０が支持穴２６を基準として位置決めされるのみならず、支持板２１に対して大きな変形力が作用しないため、磁気ヘッド組立体２０が設置平面２ａに位置決めされたときに、設置平面２ａとスライダ２２との相対位置を高精度に決めることができる。
【００６５】
また、押圧部材６を設置平面２ａから離れる方向へ移動させて前記引っ張り力が生じた状態で、支持板２１の支持穴２６に位置決め部３を入り込ませて挿通させ、その後に押圧部材６に生じている引っ張り力を解除することで、磁気ヘッド組立体を台座２の前記設置平面２ａに簡単に且つ高精度に取り付けることができる。また押圧部材６を設置平面２ａから離れる方向へ移動させるだけで、磁気ヘッド組立体２０を台座２の前記設置平面２ａから簡単に取り外すこともできる。
【００６６】
また、前記位置決め部３は、少なくとも互いに直交する方向であるＸ１−Ｘ２方向とＹ１−Ｙ２方向での外周面が、同じ曲率中心Ｏを有する円筒面であるように形成されており、図１および図３に示す実施形態では、前記位置決め部３の外周縁３ａの平面形状が、ほぼ円形に形成された円柱状で構成されている。
【００６７】
円筒面はその半径を高精度に決めることができるため、位置決め部３の外周面と磁気ヘッド組立体２０の支持穴２６の内径寸法との差を微小にでき、磁気ヘッド組立体２０を台座２の前記設置平面２ａに高精度に位置決めすることが可能となる。
【００６８】
また、図１ないし図５に示す実施形態では、前記位置決め部３は、円柱状であり、前記押圧部材６と一体の案内部４０が、前記位置決め部３の中心に挿通され、設置平面２ａから離れた位置に設けられた前記ばね１３により、案内部４０が付勢されているものである。
【００６９】
このように押圧部材６と一体に案内部４０が、円柱形状の位置決め部３の軸中心上で摺動できるようにすると、押圧部材６の両端部によって、支持板２１を均等な力で設置平面２ａに押圧することができ、支持板２１に余分な曲げ変形力を与えるのを防止できる。
【００７０】
また、前記固定用治具１では、前記押圧部材６は端部に傾斜面６ｅを有していることから、図５に示すように、前記傾斜面６ｅによって支持穴２６の周縁部が押圧される。
【００７１】
このように、前記傾斜面６ｅで前記支持穴２６の周縁部を押圧すると、この押圧力によって支持穴２６に対してセンタリング力を作用させることができ、磁気ヘッド組立体２０を高精度に位置決めして固定できるようになる。
【００７２】
さらに、前記固定用治具１では、前記台座２の前方に形成された前記段差面８に、前記位置決め部３を中心とする支持板２１の回転方向（図３に示す矢印Ａ方向）への動きを規制する回転位置決め部９が設けられている。
【００７３】
前記位置決め部３と前記支持穴２６との挿通のみによって、前記磁気ヘッド組立体２０を前記台座２の前記設置平面２ａに固定するのみでは、図３の矢印Ａで示すように、前記磁気ヘッド組立体２０が、前記位置決め部３を回転中心として、図示矢印Ａ方向へ回転移動してしまうため、回転方向（図示矢印Ａ方向）への位置決めを正確に行うことができない。これを解決するために、前記固定用治具１では、前記段差面８に回転位置決め部９を設け、これによって前記回転方向に対する正確な位置決めを行なっているのである。
【００７４】
図３に示す実施形態では、前記回転位置決め部９の前記直径Ｄ１は、前記磁気ヘッド組立体２０の前記貫通部２７の前記幅寸法Ｗ１とがほぼ同じ寸法で形成されている。したがって、前記回転位置決め部９を前記貫通部２７に嵌合することで、前記磁気ヘッド組立体２０の前記回転方向への位置決めを確実に行なうことが可能となる。このとき、前記したように、前記回転位置決め部９の上面９ａは、前記設置平面２ａよりも上方（図示Ｚ２方向側）に形成されているため、前記回転位置決め部９が前記貫通部２７から外れてしまって、前記磁気ヘッド組立体２０の前記回転方向の位置ずれが発生してしまうことを防止することができる。
【００７５】
このようにして容易に且つ精度良く、位置決めを行なった前記磁気ヘッド組立体２０を、前記押圧部材６の付勢力によって前記台座２の前記設置平面２ａへ押圧することで、前記支持板２１を位置決めした状態で、前記設置平面２ａに確実に固定することが可能となる。
【００７６】
このように、前記固定用治具１は、磁気ヘッド組立体２０を高精度に位置決めして固定することができるため、この固定用治具１で磁気ヘッド組立体２０を支持したときに、スライダ２２と測定用のガラスディスク３０との対向位置を、実際のハードディスク装置と同様の条件に設定でき、ガラスディスク３０の表面３２からのスライダ２２の浮上量の測定を高精度に測定することが可能になる。
【００７７】
なお、本発明では図７に示すように、押圧部材６の両端部の押圧面６ａが前記設置平面２ａと平行であり、この押圧面６ａと前記設置平面２ａとの間で支持板２１が挟持されて固定されるものであっても良い。
【００７８】
また、図１ないし図６に示した実施形態では、位置決め部３が円柱状であるが、この位置決め部３を、図８に示すように、Ｘ１−Ｘ２方向の両端と、Ｙ１−Ｙ２方向の両端に、共通の曲率中心Ｏを有する円柱面１０３ａを持つ平面形状が十字型の位置決め部１０３ものであってもよい。このように構成しても、円柱面１０３ａはその半径を高精度に決めることができるため、位置決め部１０３の円柱面１０３ａと磁気ヘッド組立体２０の支持穴２６の内径寸法との差を微小にでき、磁気ヘッド組立体２０を台座２の前記設置平面２ａに高精度に位置決めすることが可能となる。
【００７９】
なお、前記固定用治具１では、前記回転位置決め部９が１本の円柱形状の突起として構成され、この回転位置決め部９が前記磁気ヘッド組立体２０に形成された前記貫通部２７に嵌合されて、前記磁気ヘッド組立体２０の回転位置決めを行なっているが、本発明はこれに限定されるものではなく、例えば図９に示すように、前記固定用治具１の前記段差面８に、２本の円柱形状の回転位置決め部１０９と１１０とが、幅方向に間隔を空けて対向する位置関係で配置されており、前記磁気ヘッド組立体２０の前記支持板２１の側縁２１ａ、２１ｂが前記回転位置決め部２０９、２１０に当接した状態で、２本の前記回転位置決め部２０９と２１０との間に挟まれるようにして、回転方向（図示矢印Ａ方向）位置の規制を行なうものとして構成しても良い。このようにしても、前記磁気ヘッド組立体２０
の回転方向の位置決めを確実に行なうことが可能となる。また、前記回転位置決め部２０９、２１０のうち一方のみが形成され、前記支持板２１の前記側縁２１ａ、２１ｂの一方が、前記回転位置決め部２０９、２１０によって位置規制されていても良い。ただし、２本の前記回転位置決め部２０９、２１０の間に前記支持板２１が挟まれるように構成したほうが、位置決め精度が向上するため好ましい。
【００８０】
なお、前記固定用治具１では、前記支持穴２６が前記位置決め部３に入り込む構造を例として説明したが、前記支持穴２６以外の穴が、前記位置決め部３と嵌合するものとして構成しても良い。この場合、図２に示す磁気ヘッド組立体２０に形成された前記穴４２が、前記位置決め部３に入り込む構成としても良く、あるいは図４に示されていない穴を形成して、この穴が前記位置決め部３に入り込むように構成しても良い。
【図面の簡単な説明】
【００８１】
【図１】本発明の磁気ヘッド組立体の固定用治具の第１実施形態を上方側から示す斜視図、
【図２】図１に示す固定用治具に固定される磁気ヘッド組立体を上側から示す平面図、
【図３】図１に示す固定用治具に図２示す磁気ヘッド組立体が係止された状態を上方側から示す平面図、
【図４】図３に示す磁気ヘッド組立体と固定用治具をＩＶ−ＩＶ線で切断した断面図であり、使用時に係止されるガラスディスクおよびガラスディスクが固定されて回転駆動するスピンドルを、前記ＩＶ−ＩＶ線の延長線上で切断して示した図、
【図５】図４に示す位置決め部および押圧部の部分拡大断面図、
【図６】図１に示す位置決め部３および押圧部材の部分拡大斜視図、
【図７】図５に示す位置決め部の他の形態を示す部分拡大断面図、
【図８】位置決め部の他の形態を示す平面図、
【図９】回転位置決め部の他の形態を示す平面図、
【図１０】従来の磁気ヘッドテスターを示す平面図、
【符号の説明】
【００８２】
１  固定用治具
２  台座
２ａ  設置平面
３  位置決め部
６  押圧部材
６ｅ  傾斜面
９  回転位置決め部
２０  磁気ヘッド組立体
２１  支持板
２２  スライダ
２６  支持穴
２７  貫通部
３０  ガラスディスク